(57)【特許請求の範囲】
【請求項１】
血液流路と透析液流路との間に透析膜を有する血液透析要素と、実質的に閉回路からなり、前記血液透析要素の透析液流路に連通する透析液循環路と、該透析液循環路の前記透析液流路への透析液往路に接続された透析液供給室と透析液循環路の前記透析液流路からの透析液復路に接続された透析液受入室とを有する、透析液循環路に設けられた切替弁を介して交互に透析のために切り替え使用が可能な少なくとも２つの透析液供給・受入要素と、前記透析液循環路に設けられた循環ポンプと、各透析液供給・受入要素の各透析液供給室に接続され、切替弁を介して各透析液供給・受入要素の各透析液供給室に交互に未使用透析液を供給する透析液供給経路と、各透析液供給・受入要素の各透析液受入室に接続され、切替弁を介して各透析液供給・受入要素の各透析液受入室から交互に使用済透析液を前記閉回路からなる透析液循環路外に排出する使用済透析液排出経路と、前記透析液循環路の前記透析液復路に接続され、該透析液復路から除水可能な除水ポンプを備えた除水経路とを有する血液透析装置において、前記透析液供給経路の、該透析液供給経路における前記切替弁の上流側の位置に、第１の流量計又はフロースイッチを設け、前記使用済透析液排出経路の、該使用済透析液排出経路における前記切替弁の下流側の位置に、第２の流量計又はフロースイッチを設けるとともに、該第２の流量計又はフロースイッチを、前記除水経路における除水量に対しては無関係な位置に配置したことを特徴とする血液透析装置。
【請求項２】
前記透析液循環路の前記透析液復路に開閉弁を介して少なくとも一つの分岐路が接続されており、該分岐路が、透析液復路側からみて前記開閉弁の下流側の位置で、前記使用済透析液排出経路の前記第２の流量計又はフロースイッチの上流側の位置に接続されている、請求項１の血液透析装置。
【請求項３】
前記第１の流量計および前記第２の流量計が、フロースイッチ付きの流量計からなる、請求項１または２の血液透析装置。
【発明の詳細な説明】
【０００１】
【発明の属する技術分野】
本発明は、血液透析装置に関し、とくに患者側への透析液の供給量および患者からの除水量が適正か否かを確実に監視することが可能な血液透析装置に関する。
【０００２】
【従来の技術】
血液透析装置は、既に知られ、広く実用化されており、その代表的なものとして、たとえば図６に示すような装置が知られている。図６に示す血液透析装置１において、２は血液流路３と透析液流路４との間に透析膜５を有し、両流路３、４間で血液透析を行う血液透析要素（ダイアライザとも呼ばれる）を示している。血液流路３には、患者の動脈６からの血液が血液回路７中に設けられた定量ポンプからなる血液ポンプ８を介して供給され、透析済の血液が静脈９に戻される。
【０００３】
上記血液透析要素２の透析液流路４には、実質的に閉回路からなる透析液循環路１０が接続され、連通されている。透析液循環路１０に設けられた循環ポンプ１１により、透析液循環路１０の透析液往路１０ａからの透析前の透析液が透析液流路４に供給され、透析済の透析液が透析液復路１０ｂを戻される。この透析液循環路１０は、上述の如く実質的に閉回路に構成されているが、この閉回路から後述の除水ポンプにより定量的に少量の透析液が排出されるので、それに見合う少量の水分が血液中から透析膜５を通して患者の血液中から透析液循環路１０中に抜き取られることになる。
【０００４】
透析液循環路１０の往路１０ａには、透析液供給・受入要素１２ａの透析液供給室１３ａが接続され、ここから往路１０ａに透析前の透析液が供給される。透析液循環路１０の復路１０ｂには、透析液供給・受入要素１２ａの透析液受入室１４ａが接続され、透析済の透析液がここに戻される。透析液供給室１３ａと透析液受入室１４ａとは弾性膜１５ａによって隔離されており、透析液供給により透析液供給室１３ａが縮小した分、透析液受入室１４ａが膨張できるようになっている。
【０００５】
上記透析液供給・受入要素１２ａに加え、もう一つの透析液供給・受入要素１２ｂが設けられており、該透析液供給・受入要素１２ｂも同一の構成を有し、透析液供給室１３ｂ、透析液受入室１４ｂ、弾性膜１５ｂを有している。
【０００６】
透析液循環路１０の透析液供給・受入要素１２ａ、１２ｂの入出口には、往路１０ａ側に開閉弁（二方弁）からなる切替弁１６ａ、１６ｂが、復路１０ｂ側に開閉弁（二方弁）からなる切替弁１７ａ、１７ｂが、それぞれ設けられており、これら切替弁による切り替えにより、透析のために各透析液供給・受入要素を交互に切り替え使用できるようになっている。
【０００７】
切り替え使用される透析液供給・受入要素１２ａ、１２ｂのうちいずれか一方は透析のために使用されて透析液循環路１０と連通されるが、他方は、透析液循環路１０と遮断され、その間に新しい未使用の透析液が供給されるとともに使用済みの透析液が排出される。
【０００８】
新しい未使用の透析液の供給は、透析休止中の透析液供給・受入要素の透析液供給室に対し、切替弁１８ａ、１８ｂを備えた透析液供給経路１９を通して行われ、使用済みの透析液の排出は、透析休止中の透析液供給・受入要素の透析液受入室に対し、切替弁２０ａ、２０ｂを備えた使用済透析液排出経路２１を通して行われる。
【０００９】
透析液循環路１０の復路１０ｂには、除水経路２２が接続されており、除水経路２２に設けられた定量ポンプからなる除水ポンプ２３により、定量的に少量の透析液が排出される。透析液循環路１０は実質的に閉回路からなっているので、排出された透析液に見合う少量の水分が血液中から透析膜５を通して患者の血液中から透析液循環路１０中に抜き取られることになり、抜き取られた水分と同量の、該水分を含有する透析液が除水経路２２を介して排出されることになる。この除水経路２２は、上述の使用済透析液排出経路２１へと合流されており、抜き取られた水分を含有する透析液が適当な場所へと排出されるようになっている。
【００１０】
透析液循環路１０の血液透析要素２の入出口には開閉弁２４、２５が設けられており、血液透析要素２の交換や洗浄の際に入出口を遮断できるようになっている。透析液循環路１０の往路１０ａには、流量調整弁２６、流量計２７、温度センサー２８が設けられており、所定の条件に設定して透析液を供給できるようになっている。透析液循環路１０の往路１０ａと復路１０ｂとの間はバイパス弁２９を備えたバイパス路３０で接続されており、通常時にはバイパス弁２９は閉じられているが、透析液循環路１０の洗浄時や血液透析要素２の交換時等に、必要に応じてバイパス弁２９を開としてバイパス路３０を開くことができるようになっている。
【００１１】
また、透析液循環路１０の復路１０ｂに設けられた循環ポンプ２３の運転により、とくにその上流側は陰圧となるが、この透析液圧を透析液圧センサー３１で検出できるようになっている。また、循環ポンプ２３の下流側には、気液分離器３２が設けられており、透析液循環路１０からエア抜きできるようになっている。この気液分離器３２のエア抜きライン３３も、大気放出弁３４を介して、前述の使用済透析液排出経路２１に合流されている。
【００１２】
さらに、透析液循環路１０の復路１０ｂには、陰圧開放弁３５を備えた分岐路３６が接続されており、分岐路３６の他端は使用済透析液排出経路２１に合流されている。必要に応じてこの陰圧開放弁３５を開くことにより、気液分離器３２により追い出した気泡分、復路１０ｂ内が過陰圧となることを防ぐことができるよう、使用済透析液排出経路２１から透析液を補充できるようになっている。
【００１３】
なお、透析液供給経路１９には、フィルター３７、圧力スイッチ３８、減圧弁３９、遮断弁４０、脱気ポンプ４１、ヒーター４２、温度センサー４３、脱気槽４４が設けられており、これら機器によって適切な条件に整えられた透析液が待機中の透析液供給・受入要素１２ａまたは１２ｂの透析液供給室１３ａまたは１３ｂに供給されるようになっている。脱気槽４４からのエア抜きライン４５も前述の使用済透析液排出経路２１に合流されている。
【００１４】
【発明が解決しようとする課題】
このように構成された血液透析装置１においては、システムが正常に作動している場合には別段問題はないが、システムのいずれかの部位に異常が生じた場合、透析液供給・受入要素から患者側に過剰の透析液を供給したり、患者からの除水量が目標とする量から外れたりするおそれがあり、このような透析液の過剰供給や過剰除水を適切に監視できる手段がなかった。
【００１５】
透析液循環路１０は閉回路に構成されているので、透析液供給・受入要素に透析液供給経路に未使用の透析液が過剰に供給され、それが透析に使用されてしまうと、過剰分の透析液を余分に受け入れる出口側としては患者側にしかなく、その分患者の体重増加を招いてしまう。このような透析液の過剰供給は、透析液循環路１０から除水量が一定量の下では、結果的に患者からの除水不足を招くことにもなり、あるいは体重増加というトラブルを発生するおそれが生じる。
【００１６】
また、除水ポンプ２３には信頼性の高い定量ポンプ（調整可能なポンプも含む）を使用するので、通常、除水ポンプ２３を備えた除水経路２２自身を通して排出される除水量に関しては、監視しなくても十分に高精度に目標とする量に制御可能である。ところが、たとえば大気放出弁３４や陰圧開放弁３５に漏れが生じると、エア抜きライン３３や分岐路３６を介して透析液循環路１０から透析液が余分に排出されてしまい、透析液循環路１０が閉回路に構成されていることから、この余分に排出された透析液に見合う量だけ患者から余分に除水してしまうことになる。このような過剰除水が生じると、患者の体重の過減少を生じ、患者に対し大きな負担をかけることになる。
【００１７】
そこで本発明の課題は、上記のような従来装置における問題点に着目し、簡単な改造で、患者側への透析液の過剰供給や患者からの過剰除水を確実に検知し、これら不具合が継続されることを防止して、望ましくない患者の体重増加や減少を未然に防止することが可能な血液透析装置を提供することにある。
【００１８】
【課題を解決するための手段】
上記課題を解決するために、本発明の血液透析装置は、血液流路と透析液流路との間に透析膜を有する血液透析要素と、実質的に閉回路からなり、前記血液透析要素の透析液流路に連通する透析液循環路と、該透析液循環路の前記透析液流路への透析液往路に接続された透析液供給室と透析液循環路の前記透析液流路からの透析液復路に接続された透析液受入室とを有する、透析液循環路に設けられた切替弁を介して交互に透析のために切り替え使用が可能な少なくとも２つの透析液供給・受入要素と、前記透析液循環路に設けられた循環ポンプと、各透析液供給・受入要素の各透析液供給室に接続され、切替弁を介して各透析液供給・受入要素の各透析液供給室に交互に未使用透析液を供給する透析液供給経路と、各透析液供給・受入要素の各透析液受入室に接続され、切替弁を介して各透析液供給・受入要素の各透析液受入室から交互に使用済透析液を前記閉回路からなる透析液循環路外に排出する使用済透析液排出経路と、前記透析液循環路の前記透析液復路に接続され、該透析液復路から除水可能な除水ポンプを備えた除水経路とを有する血液透析装置において、前記透析液供給経路の、該透析液供給経路における前記切替弁の上流側の位置に、第１の流量計又はフロースイッチを設け、前記使用済透析液排出経路の、該使用済透析液排出経路における前記切替弁の下流側の位置に、第２の流量計又はフロースイッチを設けるとともに、該第２の流量計又はフロースイッチを、前記除水経路における除水量に対しては無関係な位置に配置したことを特徴とするものからなる。
【００１９】
この血液透析装置において、透析液循環路の透析液復路に開閉弁を介して少なくとも一つの分岐路が接続されている場合には、該分岐路が、透析液復路側からみて前記開閉弁の下流側の位置で、前記使用済透析液排出経路の前記第２の流量計又はフロースイッチの上流側の位置に接続されている構成とすることができる。
【００２０】
また、上記第１の流量計および第２の流量計には、ある流量が検知されたら信号を出力するフロースイッチ付きの流量計を用いることもできる。
【００２１】
上記のような本発明に係る血液透析装置においては、第１の流量計又はフロースイッチのいずれか、および、第２の流量計又はフロースイッチのいずれかを設けることが可能であるが、流量計を設ける場合について説明するに、待機中の透析液供給・受入要素に新しい透析液を供給する透析液供給経路に第１の流量計が設けられ、待機中の透析液供給・受入要素から使用済透析液を排出する使用済透析液排出経路に第２の流量計が設けられる。そして、除水ポンプを備えた除水経路は、この第２の流量計を設けた位置とは無関係に構成されるか、この第２の流量計をバイパスされ、除水経路における除水量は第２の流量計では検知されないようになっている。待機中の透析液供給・受入要素への新しい透析液の供給が完了してからその透析液供給・受入要素が次の透析に使用されるまでの間（受入れ完了待機期間）は、正常な作動状態では、第１の流量計および第２の流量計の設置位置ではともに流量が零となる。ところが、たとえば待機中の透析液供給・受入要素の入口側の切替弁等に漏れが発生していると、とくに第１の流量計の流量が上記受入れ完了待機期間中に零とはならず、ある流量値を示す。したがって、このような流量値が検知された場合には、その透析液供給・受入要素の入口側、とくに切替弁に異常があると判断可能になり、その判断に基づいた復元が可能となる。その結果、透析液供給・受入要素への透析液の過剰供給、ひいては、患者側への透析液を供給してしまうことによる体重増加を防止することが可能になる。
【００２２】
また、定量的に除水可能な除水ポンプは、信頼性の高い定量ポンプから構成されているので、この除水ポンプにより除水経路を介して排出される水分を含む透析液は別段流量検知されなくても、精度良く所望の流量に制御される。しかし、透析液循環路の分岐路等から漏れが生じていると、閉回路に構成された透析液循環路からその漏れ分余分に排出してしまうことになり、それによって患者からの除水量が目標値よりも増加して、患者の望ましくない体重減少を招くことになる。このような漏れ経路は使用済透析液排出経路に合流され、その合流位置下流側でかつ上記除水経路における除水量とは無関係な位置に第２の流量計が設置されているので、上記のような漏れが生じた場合、とくに上記受入れ完了待機期間中で第２の流量計による検知流量が零になるべき期間中にも、漏れ流量が検知されてしまうことになる。したがって、この受入れ完了待機期間中にとくに第２の流量計によってある流量が検知されたら、このような漏れが発生していると判断でき、その判断に基づいた復元が可能となる。その結果、過除水の発生を防止でき、ひいては、患者からの水分引きすぎによる望ましくない体重減少を防止することが可能になる。
【００２３】
さらに、上記受入れ完了待機期間中における第１の流量計および第２の流量計による流量検知は、第１、第２の流量計それぞれ別々に検知することも可能であるが、たとえば両流量計をある流量が検知されたら信号を出力するフロースイッチ付きの流量計とし、第１、第２の流量計の少なくともいずれか一方の流量が検知できるシステム、つまり、いずれの流量計が流量を検知しているかを問わないシステムとすることも可能である。このようにしても、どのタイミングの受入れ完了待機期間中に流量が検知されたかを判定することにより、どの透析液供給・受入要素への透析液供給回路に問題があるかを判断でき、すべての受入れ完了待機期間中に流量が検知される場合には、どの透析液供給・受入要素を使用しているかにかかわらず流量が検知されるわけであるから、透析液循環路からの漏れが生じていると判断することが可能になる。
【００２４】
【発明の実施の形態】
以下に、本発明の望ましい実施の形態を、図面を参照して説明する。
図１は、本発明の一実施態様に係る血液透析装置を示している。図１に示した血液透析装置５１において、図６に付したのと同一の符号を付した部分については、図６に示した血液透析装置１と実質的に同一の構成を有している。したがって、それらの部分の構成、機能について、前述の図６についての説明に準じる。
【００２５】
本発明に係る血液透析装置５１においては、透析液供給経路１９の、該透析液供給経路１９における２つの透析液供給・受入要素１２ａ、１２ｂの入口側に設けられた切替弁１８ａ、１８ｂの上流側の位置に、第１の流量計５２が設けられている。したがって、これら切替弁１８ａ、１８ｂへと至る回路の流量は、この第１の流量計５２で検知できるようになっている。また、使用済透析液排出経路２１の、該使用済透析液排出経路２１における切替弁２０ａ、２０ｂの下流側の位置に、第２の流量計５３が設けられている。そして、この第２の流量計５３は、除水経路２２における除水量に対しては無関係な位置に配置されており、本実施態様では、除水経路２２は第２の流量計５３をバイパスさせて排液回路へと合流されている。したがって、使用済透析液排出経路２１を介しての流量が発生した場合には、除水経路２２における除水量とは無関係に検知されるようになっている。
【００２６】
また、透析液循環路１０の透析液復路１０ｂに開閉弁３５（陰圧開放弁）を介して接続された分岐路３６の使用済透析液排出経路２１への合流位置は、上記第２の流量計５３の上流側に配置されており、もしこの分岐路３６から透析液が漏れてきた場合には、第２の流量計５３で検知できるようになっている。さらに、透析液循環路１０の透析液復路１０ｂに設けられた気液分離器３２からのエア抜きライン３３も、開閉弁３４（大気放出弁）の下流側で使用済透析液排出経路２１に合流されており、この合流位置は、上記第２の流量計５３の上流側に配置されて、もしこのエア抜きライン３３から透析液が漏れてきた場合には、第２の流量計５３で検知できるようになっている。このエア抜きライン３３も、透析液循環路１０の透析液復路１０ｂに対しては、分岐路の一種を構成している。
【００２７】
さらに、本実施態様では、上記第１の流量計５２および第２の流量計５３は、ある設定流量以上を検知したら信号を発するフロースイッチ付きの流量計から構成されている。そして、第１の流量計５２および第２の流量計５３からそれぞれ個別の信号を独立に発することも可能であり、いずれかの流量計が信号を発する状態になったら、いずれの流量計かを問わず、単にいずれかの流量計設置回路に漏れが生じているとの検知信号として発することも可能である。
【００２８】
このように第１の流量計５２および第２の流量計５３を備え、除水経路２２が第２の流量計５３をバイパスされた本発明に係る血液透析装置５１における作用について説明する。
【００２９】
まず、血液透析装置５１に異常がなく、正常に作動されている場合、たとえば図２の（イ）に示すように、透析液供給・受入要素１２ａ（図２〜図５ではＡと表示）、１２ｂ（図２〜図５ではＢと表示）は、たとえば３０秒ずつ透析用に交互に切り替えられて使用され、流量計２７によって検知される透析用供給流量（図２（イ）の縦軸）は、実質的に常時所定の一定流量に制御される。つまり、この切り替え動作が繰り返されることによって実質的に連続的な透析が行われる。このとき、透析に使用されていない待機中の透析液供給・受入要素１２ｂ、１２ａは、図２の（ロ）に示すように、上記切り替え周期よりも短いたとえば２３秒間で透析液供給経路１９を介して透析液供給室に新しい未使用の透析液が受け入れられるとともに、透析液排出経路２１を介して透析液受入室から使用済みの透析液が排出され、その受入れが完了された後切り替えまでの残りの７秒間は待機される。この受入れ完了待機中には、正常な作動状態では、第１の流量計５２には流量は発生せず、また、後述の分岐路等からの漏れが発生していない状態であるから、第２の流量計５３にも流量は発生しない。したがって、たとえば、図２の（ロ）における縦軸を第１の流量計５２および第２の流量計５３によって検知された合計流量だとすると、上記受入れ完了待機中にはこの流量は零となる。
【００３０】
ところが、透析液供給・受入要素１２ｂ側、とくにその入口側の切替弁１６ｂに漏れが生じると、図３に示すように、透析液供給・受入要素１２ｂの透析液受入室１３ｂに所定量の透析液の受入れが完了したにもかかわらず、上記受入れ完了待機中に第１の流量計５２には流量が発生することになり、これが検知される。もちろん、第１の流量計５２および第２の流量計５３の流量を本実施態様のようにトータル的に検知しても、この流量発生状態は検知される。同様に、透析液供給・受入要素１２ａ側、とくにその入口側の切替弁１６ａに漏れが生じると、図４に示すように、透析液供給・受入要素１２ａの透析液受入室１３ａに所定量の透析液の受入れが完了したにもかかわらず、上記受入れ完了待機中に第１の流量計５２には流量が発生することになり、これが検知される。
【００３１】
このように、断続的に順次発生する受入れ完了待機中のうち、いずれかのタイミングの受入れ完了待機中にのみ漏れ流量が検知される場合には、透析液供給・受入要素１２ａ、１２ｂのいずれかへの透析液供給、とくにその入口側の切替弁に異常が発生していると判断でき、かつ、いずれの透析液供給・受入要素１２ａ、１２ｂ側に異常が発生しているかも検知したタイミングにより特定できる。つまり、漏れ判断と漏れ箇所の特定の両方を同時に行うことができる。このような異常発生により、前述の如く、閉回路構成の透析液循環路１０から患者側に不要な透析液が供給されてしまい、患者の体重増加を招くおそれがあるが、本発明では、この異常が迅速かつ部位を特定した状態で適切に検知、監視されるので、この種不具合の発生が実質的に未然に防止される。
【００３２】
また、分岐路３６の陰圧開放弁３５に漏れが生じると、上記受入れ完了待機中にも（つまり、他方の透析液供給・受入要素により透析が行われている間にも）この漏れが発生することになるので、図５に示すように、いずれの透析液供給・受入要素が受入れ完了待機中であるかに関わらず、すべてのタイミングの受入れ完了待機中に第２の流量計５３に流量が発生することになり、この漏れが検知される。もちろん、第１の流量計５２および第２の流量計５３の流量を本実施態様のようにトータル的に検知しても、この流量発生状態は検知される。第２の流量計５３は、除水経路２２からは外されているので、定量的に行われている除水とは無関係にこの漏れが検知されることになる。
【００３３】
同様に、大気放出弁３４に漏れが生じると、上記受入れ完了待機中にもこの漏れが発生することになるので、同じく図５に示すように、いずれの透析液供給・受入要素が受入れ完了待機中であるかに関わらず、すべてのタイミングの受入れ完了待機中に第２の流量計５３に流量が発生することになり、この漏れが検知される。もちろん、第１の流量計５２および第２の流量計５３の流量を本実施態様のようにトータル的に検知しても、この流量発生状態は検知される。
【００３４】
したがって、図５に示したようなすべてのタイミングの受入れ完了待機中に流量が検知されると、透析液循環路１０から漏れが生じていると判断でき、その漏れ箇所は、陰圧開放弁３５または／および大気放出弁３４である可能性が高いと判断でき、漏れ判断と漏れ箇所の特定の両方を同時に行うことができる。
【００３５】
このような漏れ発生状態を放置すると、閉回路構成の透析液循環路１０から過剰に排液されてしまい、その過剰分、患者から余分に水分が除水されてしまうので、除水誤差、とくに、過剰除水（引き過ぎ）となり、患者の望ましくない体重減少を招く。しかし本発明では、この異常が迅速かつ部位を特定した状態で適切に検知、監視されるので、この種不具合の発生が実質的に未然に防止される。
【００３６】
なお、上記実施態様では、第１の流量計５２および第２の流量計５３を設け、それぞれ流量を検知できるようにしたが、本発明では、あるレベル以上の流量の発生の有無のみを検知するフロースイッチとすることも可能である。
【００３７】
【発明の効果】
以上説明したように、本発明の血液透析装置によれば、透析液供給・受入要素の入口側に第１の流量計又はフロースイッチを、除水経路を外した状態で、分岐路等が合流された使用済透析液排出経路に第２の流量計又はフロースイッチを設け、各経路に望ましくない漏れが生じたときそれを迅速かつ的確に検知できるようにしたので、患者側への透析液の過剰供給や患者からの過剰除水を確実に検知して、これら不具合が継続されることを防止して、望ましくない患者の体重増加や減少を確実に未然に防止することができる。
【００３８】
また、本発明では、上記のような望ましくない漏れ発生箇所を即座に特定することが可能であるので、本発明に係る構成を、血液透析装置のシステムの自己診断、とくに除水機構の自己診断に活用することができる。したがって、本発明は、血液透析装置が安定して正常に作動できるよう、そのシステムの信頼性向上に寄与できる。
【図面の簡単な説明】
【図１】本発明の一実施態様に係る血液透析装置の機器系統図である。
【図２】図１の装置における正常作動状態を示す作動特性図である。
【図３】図１の装置における異常作動状態を示す作動特性図である。
【図４】図１の装置における別の異常作動状態を示す作動特性図である。
【図５】図１の装置におけるさらに別の異常作動状態を示す作動特性図である。
【図６】従来の血液透析装置の機器系統図である。
【符号の説明】
１  血液透析装置
２  血液透析要素
３  血液流路
４  透析液流路
５  透析膜
６  動脈
７  血液回路
８  血液ポンプ
９  静脈
１０  透析液循環路
１０ａ  透析液往路
１０ｂ  透析液復路
１１  循環ポンプ
１２ａ、１２ｂ  透析液供給・受入要素
１３ａ、１３ｂ  透析液供給室
１４ａ、１４ｂ  透析液受入室
１５ａ、１５ｂ  弾性膜
１６ａ、１６ｂ、１７ａ、１７ｂ、１８ａ、１８ｂ  切替弁
１９  透析液供給経路
２０ａ、２０ｂ  切替弁
２１  使用済透析液排出経路
２２  除水経路
２３  除水ポンプ
２４、２５  開閉弁
２６  流量調整弁
２７  流量計
２８  温度センサー
２９  バイパス弁
３０  バイパス路
３１  透析液圧センサー
３２  気液分離器
３３  エア抜きライン
３４  大気放出弁
３５  陰圧開放弁
３６  分岐路
３７  フィルター
３８  圧力スイッチ
３９  減圧弁
４０  遮断弁
４１  脱気ポンプ
４２  ヒーター
４３  温度センサー
４４  脱気槽
４５  エア抜きライン
５１  血液透析装置
５２  第１の流量計
５３  第２の流量計
【図１】
0003933512.tif 000002
【図２】
0003933512.tif 000003
【図３】
0003933512.tif 000004
【図４】
0003933512.tif 000005
【図５】
0003933512.tif 000006
【図６】
0003933512.tif 000007